(57)【要約】  デジタル放送受信装置１００は、第１受信部４ａで選局しようとしている選局先チャンネルの番組情報に含まれるパレンタル年齢情報と、設定年齢情報とに基づいて、選局先チャンネルの番組がユーザの視聴制限番組であるか否かを判定する視聴制限判定部５３と、選局先チャンネルの番組が視聴制限番組であると判定され、チューナ制御部５６が選局先チャンネルへの切替えを停止した状態で、視聴が制限されていることを示す警告音を生成して音声出力部８に出力させる警告音生成部５５と、選局先チャンネルの番組が視聴制限番組であると判定され、チューナ制御部５６が選局先チャンネルへの切替えを停止した状態で、第２受信部４ｂによりサーチされたチャンネルの番組を登録した一覧表を生成して表示部７に表示させる一覧表生成部５４とを有している。
2016009563.tif 000002
【特許請求の範囲】
【請求項１】
デジタル方式の放送波を受信する第１受信部及び第２受信部と、前記第１受信部及び前記第２受信部によるチャンネルの選局を制御するチューナ制御部とを備え、前記第２受信部で前記放送波を受信可能なチャンネルをサーチするデジタル放送受信装置において、
ユーザの年齢を示す設定年齢情報を記憶する記憶部と、
前記第２受信部によりサーチされた前記チャンネルの受信信号から、当該チャンネルの番組の視聴制限年齢情報を含む番組情報を取得する番組情報取得部と、
前記第１受信部で選局しようとしている選局先チャンネルの前記番組情報に含まれる前記視聴制限年齢情報と、前記設定年齢情報とに基づいて、前記選局先チャンネルの番組が前記ユーザの視聴制限番組であるか否かを判定する視聴制限判定部と、
前記選局先チャンネルの番組が前記視聴制限番組であると判定され、前記チューナ制御部が前記選局先チャンネルへの切替えを停止した状態で、視聴が制限されていることを示す警告音を生成して音声出力部に出力させる警告音生成部と、
前記選局先チャンネルの番組が前記視聴制限番組であると判定され、前記チューナ制御部が前記選局先チャンネルへの切替えを停止した状態で、前記第２受信部によりサーチされた前記チャンネルの番組を登録した一覧表を生成するとともに、前記一覧表において前記視聴制限番組を他の番組と異なる表示様態に変更して表示部に表示させる一覧表生成部と、
を備えることを特徴とするデジタル放送受信装置。
【請求項２】
デジタル方式の放送波を受信する第１受信部及び第２受信部と、前記第１受信部及び前記第２受信部によるチャンネルの選局を制御するチューナ制御部とを備え、前記第２受信部で前記放送波を受信可能なチャンネルをサーチするデジタル放送受信装置において、
ユーザの年齢を示す設定年齢情報を記憶する記憶部と、
前記第２受信部によりサーチされた前記チャンネルの受信信号から、当該チャンネルの番組の視聴制限年齢情報を含む番組情報を取得する番組情報取得部と、
前記第１受信部で選局しようとしている選局先チャンネルの前記番組情報に含まれる前記視聴制限年齢情報と、前記設定年齢情報とに基づいて、前記選局先チャンネルの番組が前記ユーザの視聴制限番組であるか否かを判定する視聴制限判定部と、
前記選局先チャンネルの番組が前記視聴制限番組であると判定され、前記チューナ制御部が前記選局先チャンネルへの切替えを停止した状態で、視聴が制限されていることを示す警告音を生成して音声出力部に出力させる警告音生成部と、
前記選局先チャンネルの番組が前記視聴制限番組であると判定され、前記チューナ制御部が前記選局先チャンネルへの切替えを停止した状態で、前記第２受信部によりサーチされた前記チャンネルの番組を登録した一覧表を生成するとともに、前記一覧表において前記視聴制限番組を除外して表示部に表示させる一覧表生成部と、
を備えることを特徴とするデジタル放送受信装置。
【請求項３】
前記一覧表生成部は、前記一覧表に加えて視聴が制限されていることを示すメッセージを表示させることを特徴とする請求項１記載のデジタル放送受信装置。
【請求項４】
前記一覧表生成部は、前記一覧表の番組ごとに前記視聴制限年齢情報を表示させることを特徴とする請求項１記載のデジタル放送受信装置。
【請求項５】
前記一覧表生成部は、前記一覧表において前記視聴制限番組を他の番組と異なる色又は輝度に変更して表示させることを特徴とする請求項１記載のデジタル放送受信装置。
【請求項６】
前記一覧表生成部は、前記一覧表のいずれかの番組が選択されていることを示すカーソルを表示させるとともに、前記視聴制限番組を前記カーソルにより選択できないようにした前記一覧表を表示させ、
前記チューナ制御部は、前記第１受信部のチャンネルを前記カーソルにより選択された番組のチャンネルに切替える
ことを特徴とする請求項１記載のデジタル放送受信装置。
【請求項７】
前記一覧表生成部は、前記一覧表においていずれかの番組が選択されていることを示すカーソルを表示させ、
前記視聴制限判定部は、前記カーソルにより選択された番組が前記視聴制限番組であるか否かを判定し、
前記チューナ制御部は、前記カーソルにより選択された番組が前記視聴制限番組でないと判定された場合、前記第１受信部のチャンネルを前記カーソルにより選択された番組のチャンネルに切替え、前記カーソルにより選択された番組が前記視聴制限番組であると判定された場合、前記第１受信部のチャンネルを前記カーソルにより選択された番組のチャンネルに切替えず、
前記警告音生成部は、前記カーソルにより選択された番組が前記視聴制限番組である場合に前記警告音を出力させる
ことを特徴とする請求項１記載のデジタル放送受信装置。
【請求項８】
前記表示部による番組の映像表示と、前記音声出力部による番組の音声出力とを停止させる映像音声ミュート部を備え、
前記視聴制限判定部は、
前記番組情報取得部が取得した前記番組情報に基づいて、前記第１受信部で選局している選局中チャンネルの先行番組から後続番組への切替わりを検出し、
前記後続番組の前記視聴制限年齢情報と、前記設定年齢情報とに基づいて、前記後続番組が前記視聴制限番組であるか否かを判定し、
前記映像音声ミュート部は、前記後続番組が前記視聴制限番組であると判定された場合に、前記後続番組の映像表示及び音声出力を停止させ、
前記警告音生成部は、前記後続番組が前記視聴制限番組であると判定された場合に前記警告音を出力させ、
前記一覧表生成部は、前記後続番組が前記視聴制限番組であると判定された場合に前記一覧表を表示させる
ことを特徴とする請求項１記載のデジタル放送受信装置。
【請求項９】
デジタル方式の放送波を受信する第１受信部及び第２受信部と、前記第１受信部及び前記第２受信部によるチャネルの選局を制御するチューナ制御部とを備え、前記第２受信部で前記放送波を受信可能なチャンネルをサーチするデジタル放送受信装置の選局方法において、
番組情報取得部が、前記第２受信部によりサーチされた前記チャンネルの受信信号から、当該チャンネルの番組の視聴制限年齢情報を含む番組情報を取得し、
視聴制限判定部が、前記第１受信部で選局しようとしている選局先チャンネルの前記番組情報に含まれる前記視聴制限年齢情報と、記憶部が記憶するユーザの年齢を示す設定年齢情報とに基づいて、前記選局先チャンネルの番組が前記ユーザの視聴制限番組であるか否かを判定し、
前記選局先チャンネルの番組が前記視聴制限番組であると判定され、前記チューナ制御部が前記選局先チャンネルへの切替えを停止した状態で、警告音生成部が、視聴が制限されていることを示す警告音を生成して音声出力部に出力させ、一覧表生成部が、前記第２受信部によりサーチされた前記チャンネルの番組を登録した一覧表を生成するとともに、前記一覧表において前記視聴制限番組を他の番組と異なる表示様態に変更して表示部に表示させる
ことを特徴とするデジタル放送受信装置の選局方法。
【発明の詳細な説明】
【技術分野】
【０００１】
本発明は、地上デジタルテレビ放送の放送波を受信するデジタル放送受信装置に関するものであり、特に車両への持込あるいは車載に適したデジタル放送受信装置及びその選局方法に関する。
【背景技術】
【０００２】
地上デジタルテレビ放送の放送波には、いわゆる「ＥＩＴ（Ｅｖｅｎｔ  Ｉｎｆｏｒｍａｔｉｏｎ  Ｔａｂｌｅ）［ｓｃｈｅｄｕｌｅ］」又は「ＥＩＴ［ｐ／ｆ］（［ｐｒｅｓｅｎｔ／ｆｏｌｌｏｗｉｎｇ］）」等の番組に関する情報（以下「番組情報」という）が含まれている。番組情報には、いわゆる「Ｐａｒｅｎｔａｌ  ｒａｔｉｎｇ」等の番組の視聴を制限する年齢を示す情報（以下「パレンタル年齢情報」という）が含まれている。従来のデジタル放送受信装置は、放送波から取得したパレンタル年齢情報に応じて番組の視聴を制限する視聴年齢制限機能を有している（例えば、特許文献１参照）。
【先行技術文献】
【特許文献】
【０００３】
【特許文献１】特開平１０−２４２８７４号公報
【発明の概要】
【発明が解決しようとする課題】
【０００４】
従来のデジタル放送受信装置は、ユーザが視聴年齢制限機能により視聴が制限されるチャンネルを選局した場合、他のチャンネルを選局する操作を行わない限り、映像及び音声が出力されないままの状態になる課題があった。例えば、あるチャンネルの番組（以下「先行番組」という）を視聴中に、先行番組が終了して次の番組（以下「後続番組」という）が始まったとき、後続番組が視聴を制限される番組であった場合、ユーザが他のチャンネルを選局する操作を行わない限り、映像及び音声が出力されないままの状態になる。ユーザは他のチャンネルを選局する操作を行い、視聴が制限されないチャンネルを探す必要がある。【０００５】
これに対し、特許文献１のデジタル放送受信装置は、視聴年齢制限機能により視聴が制限されるチャンネルをユーザが選局した場合、又は受信中のチャンネルで視聴が制限される番組の放送が始まった場合に、チャンネルを自動で切替えるようにしている。これにより、ユーザが他のチャンネルを選局する操作を不要としている。しかしながら、切替わったチャンネルの番組が、ユーザが視聴したい番組であるとは限らない。この場合、ユーザが他のチャンネルを選局する操作を行う必要が生じる課題があった。【０００６】
また、特許文献１には、視聴年齢制限機能により視聴が制限されるチャンネルを選局した場合、又は受信中のチャンネルで視聴が制限される番組の放送が始まった場合に、番組表を表示してユーザに選局を促すデジタル放送受信装置も開示されている。しかしながら、番組表から選局されたチャンネルも、視聴年齢制限機能により視聴が制限されるチャンネルである可能性がある。この場合、番組表を再び表示して、ユーザに選局を促す必要が生じる課題があった。【０００７】
本発明は、上記のような課題を解決するためになされたものであり、視聴年齢制限機能により視聴が制限されるチャンネルをユーザが選局した場合、又は受信中のチャンネルで視聴が制限される番組の放送が始まった場合に、選局可能な番組をユーザにわかりやすく提示して選局を促すことができるデジタル放送受信装置及びその選局方法を提供することを目的とする。
【課題を解決するための手段】
【０００８】
本発明のデジタル放送受信装置は、デジタル方式の放送波を受信する第１受信部及び第２受信部と、第１受信部及び第２受信部によるチャンネルの選局を制御するチューナ制御部とを備え、第２受信部で放送波を受信可能なチャンネルをサーチするデジタル放送受信装置であって、ユーザの年齢を示す設定年齢情報を記憶する記憶部と、第２受信部によりサーチされたチャンネルの受信信号から、当該チャンネルの番組の視聴制限年齢情報を含む番組情報を取得する番組情報取得部と、第１受信部で選局しようとしている選局先チャンネルの番組情報に含まれる視聴制限年齢情報と、設定年齢情報とに基づいて、選局先チャンネルの番組がユーザの視聴制限番組であるか否かを判定する視聴制限判定部と、選局先チャンネルの番組が視聴制限番組であると判定され、チューナ制御部が選局先チャンネルへの切替えを停止した状態で、視聴が制限されていることを示す警告音を生成して音声出力部に出力させる警告音生成部と、選局先チャンネルの番組が視聴制限番組であると判定され、チューナ制御部が選局先チャンネルへの切替えを停止した状態で、第２受信部によりサーチされたチャンネルの番組を登録した一覧表を生成するとともに、一覧表において視聴制限番組を他の番組と異なる表示様態に変更して表示部に表示させる一覧表生成部と、を備えるものである。
【発明の効果】
【０００９】
本発明によれば、上記のように構成したので、視聴年齢制限機能により視聴が制限されるチャンネルを選局した場合に、選局可能な番組をユーザにわかりやすく提示して選局を促すことができる。
【図面の簡単な説明】
【００１０】
【図１】本発明の実施の形態１のデジタル放送受信装置の構成を示すブロック図である。
【図２】図１に示すデジタル放送受信装置の要部の構成を示すブロック図である。
【図３】図１に示すデジタル放送受信装置の動作を示すフローチャートである。
【図４】一覧表生成部が生成する一覧表の一例を示す説明図である。
【図５】一覧表生成部が生成する一覧表の他の例を示す説明図である。
【図６】一覧表生成部が生成する一覧表の他の例を示す説明図である。
【図７】表示部が表示する一覧表及びメッセージの一例を示す説明図である。
【図８】表示部が表示する一覧表及びメッセージの他の例を示す説明図である。
【図９】表示部が表示する一覧表及びメッセージの他の例を示す説明図である。
【図１０】表示部が表示する一覧表及びメッセージの他の例を示す説明図である。
【図１１】図１に示すデジタル放送受信装置の動作の変形例を示すフローチャートである。
【図１２】図１に示すデジタル放送受信装置の動作の変形例を示すフローチャートである。
【図１３】本発明の実施の形態２のデジタル放送受信装置の要部の構成を示すブロック図である。
【図１４】一覧表生成部が生成する一覧表の一例を示す説明図である。
【図１５】一覧表生成部が生成する一覧表の他の例を示す説明図である。
【図１６】本発明の実施の形態３のデジタル放送受信装置の要部の構成を示すブロック図である。
【図１７】図１６に示すデジタル放送受信装置の動作を示すフローチャートである。
【発明を実施するための形態】
【００１１】
以下、この発明をより詳細に説明するために、この発明を実施するための形態について、添付の図面に従って説明する。
実施の形態１．
図１及び図２を参照して、本発明の実施の形態１のデジタル放送受信装置１００について説明する。
第１アンテナ１ａは、地上デジタルテレビ放送等のデジタル方式の放送波を受信するものである。地上デジタルテレビ放送の放送波は、いわゆる「直交周波数分割多重（Ｏｒｔｈｏｇｏｎａｌ  ｆｒｅｑｕｅｎｃｙ−ｄｉｖｉｓｉｏｎ  ｍｕｌｔｉｐｌｅｘｉｎｇ，ＯＦＤＭ）方式」で多重化されている。第１チューナ部２ａは、第１アンテナ１ａで受信した放送波のうち、いずれかのチャンネルの放送波をデジタル信号に変換するものである。第１ＯＦＤＭ復調部３ａは、第１チューナ部２ａで変換したデジタル信号を復調して、いわゆる「トランスポートストリーム（Ｔｒａｎｓｐｏｒｔ  Ｓｔｒｅａｍ，ＴＳ）」を出力するものである。
【００１２】
第１アンテナ１ａ、第１チューナ部２ａ及び第１ＯＦＤＭ復調部３ａによって、第１受信部４ａが構成されている。同様に、第２アンテナ１ｂ、第２チューナ部２ｂ及び第２ＯＦＤＭ復調部３ｂによって、第２受信部４ｂが構成されている。
【００１３】
制御部５の映像音声取得部５１は、第１ＯＦＤＭ復調部３ａ又は第２ＯＦＤＭ復調部３ｂが出力したＴＳから、映像データ及び音声データを取得するものである。デコード部６は、映像音声取得部５１で取得した映像データ及び音声データを復号するものである。表示部７は、デコード部６が復号した映像データを映像として表示するものである。音声出力部８は、デコード部６が復号した音声データを音声として出力するものである。
【００１４】
制御部５の番組情報取得部５２は、第１ＯＦＤＭ復調部３ａ又は第２ＯＦＤＭ復調部３ｂが出力したＴＳから、ＥＩＴ［ｓｃｈｅｄｕｌｅ］又はＥＩＴ［ｐ／ｆ］等の番組情報を取得するものである。番組情報取得部５２は、取得した番組情報に含まれるチャンネル番号、番組名、番組開始時刻、番組終了時刻及び「Ｐａｒｅｎｔａｌ  ｒａｔｉｎｇ」等のパレンタル年齢情報（視聴制限年齢情報）等を対応付けて、記憶部９に記憶するものである。
【００１５】
制御部５の視聴制限判定部５３は、操作入力部１０に入力された情報（以下「ユーザ操作情報」という）のうち、第１受信部４ａで選局しようとするチャンネル（以下「選局先チャンネル」という）を示すユーザ操作情報を、操作受付部１１を介して受け付けるものである。視聴制限判定部５３は、記憶部９に記憶されている番組情報から、ユーザ操作情報が示す選局先チャンネルの番組情報を取得するものである。
【００１６】
ここで、記憶部９は、操作入力部１０に入力されたユーザの年齢を示す情報（以下「設定年齢情報」という）を記憶するようになっている。視聴制限判定部５３は、ユーザ操作情報が示す選局先チャンネルの番組のパレンタル年齢情報と、記憶部９に予め記憶されている設定年齢情報とに基づいて、選局先チャンネルの番組がユーザの視聴制限番組であるか否かを判定するものである。
【００１７】
制御部５のチューナ制御部５６は、視聴制限判定部５３で選局先チャンネルの番組がユーザの視聴制限番組でないと判定された場合に、第１チューナ部２ａが放送波を変換するチャンネルを選局先チャンネルに切替えるものである。一方、チューナ制御部５６は、視聴制限判定部５３で選局先チャンネルの番組がユーザの視聴制限番組であると判定された場合には、第１チューナ部２ａが放送波を変換するチャンネルを選局先チャンネルに切替えるのを停止するものである。また、チューナ制御部５６は、番組情報取得部５２が出力した信号に応じて、第２チューナ部２ｂが放送波を変換するチャンネルを順次切替えるものである。
【００１８】
制御部５の一覧表生成部５４は、記憶部９に記憶されている各チャンネルの番組情報を取得するものである。一覧表生成部５４は、視聴制限判定部５３の判定結果に応じて、記憶部９から取得した各チャンネルのチャンネル番号、番組名、番組開始時刻、番組終了時刻及びパレンタル年齢情報等を含む一覧表を生成して表示部７に表示させるものである。また、一覧表生成部５４は、視聴制限判定部５３の判定結果に応じて、番組の視聴が制限されていることを示すメッセージ（例えば「この番組は視聴できない」のメッセージ）を生成して表示部７に表示させるものである。
【００１９】
制御部５の警告音生成部５５は、視聴制限判定部５３の判定結果に応じて、番組の視聴が制限されていることを示す警告音を生成して音声出力部８に出力させるものである。
【００２０】
第１チューナ部２ａ、第２チューナ部２ｂ、第１ＯＦＤＭ復調部３ａ、第２ＯＦＤＭ復調部３ｂ、制御部５、デコード部６、記憶部９及び操作受付部１１によって、デジタル放送受信装置１００が構成されている。
【００２１】
第１チューナ部２ａ、第２チューナ部２ｂ、第１ＯＦＤＭ復調部３ａ、第２ＯＦＤＭ復調部３ｂ、制御部５、デコード部６及び操作受付部１１は、例えば、ＣＰＵ（Ｃｅｎｔｒａｌ  Ｐｒｏｃｅｓｓｉｎｇ  Ｕｎｉｔ）又は専用の集積回路等で構成されている。記憶部９は、例えば、ＨＤＤ（Ｈａｒｄ  Ｄｉｓｋ  Ｄｒｉｖｅ）又は半導体メモリ等で構成されている。
【００２２】
表示部７及び音声出力部８は、例えば、車両に搭載されたナビゲーション装置のディスプレイ及びスピーカにより構成されている。又は、表示部７及び音声出力部８は、デジタル放送受信装置１００と一体のディスプレイ及びスピーカにより構成されている。又は、表示部７及び音声出力部８は、車両に持ち込まれた携帯情報端末のディスプレイ及びスピーカにより構成されている。
【００２３】
操作入力部１０は、例えば、操作受付部１１と赤外線通信又は近距離無線通信を行なうリモートコントローラにより構成されている。又は、操作入力部１０は、表示部７のディスプレイと一体に構成されたタッチパネルにより構成されている。又は、操作入力部１０は、表示部７のディスプレイに隣設されたタッチキーにより構成されている。
【００２４】
次に、図３を参照して、このように構成されたデジタル放送受信装置１００の動作について、制御部５の動作を中心に説明する。
ここで、デジタル放送受信装置１００は車両に搭載されており、この車両は走行中である。第１受信部４ａは任意のチャンネル（以下「選局中チャンネル」という）の放送波を受信しており、表示部７及び音声出力部８は選局中チャンネルの番組の映像及び音声を出力している。記憶部９は、設定年齢情報を予め記憶している。
【００２５】
まず、ステップＳＴ１にて、番組情報取得部５２が、第２受信部４ｂで受信可能な全てのチャンネルの番組情報を取得する。このとき、番組情報取得部５２は、各チャンネルで現在放送されている番組の番組情報だけでなく、これから放送される予定の番組の番組情報も取得する。番組情報取得部５２は、各チャンネルの番組情報に含まれるチャンネル番号、番組名、番組開始時刻、番組終了時刻及びパレンタル年齢情報等を対応付けて、記憶部９に記憶する。
【００２６】
次いで、ステップＳＴ２にて、視聴制限判定部５３は、操作受付部１１を介して、選局先チャンネルを示すユーザ操作情報を受け付ける。
【００２７】
次いで、ステップＳＴ３にて、視聴制限判定部５３は、記憶部９に記憶されている番組情報から、ユーザ操作情報が示す選局先チャンネルの番組のパレンタル年齢情報を取得する。また、視聴制限判定部５３は、選局先チャンネルの番組のパレンタル年齢情報が示す年齢（以下「パレンタル年齢」という）が、記憶部９から取得した設定年齢情報が示す年齢（以下「設定年齢」という）を超えているか否かを判定する。選局先チャンネルの番組のパレンタル年齢が設定年齢以下であるか、又は選局先チャンネルの番組の番組情報にパレンタル年齢情報が含まれていない場合（ステップＳＴ３“ＮＯ”）、次いで、ステップＳＴ４にて、チューナ制御部５６は、第１受信部４ａのチャンネルを選局先チャンネルに切替える。
【００２８】
一方、選局先チャンネルの番組のパレンタル年齢が設定年齢を超えている場合（ステップＳＴ３“ＹＥＳ”）、次いで、ステップＳＴ５にて、警告音生成部５５が警告音を生成して音声出力部８に出力させる。又は、一覧表生成部５４が「この番組は視聴できない」ことを示すメッセージを生成して表示部７に表示させる。このとき、チューナ制御部５６は、第１受信部４ａのチャンネルを選局先チャンネルに切替えない。
【００２９】
次いで、ステップＳＴ６にて、一覧表生成部５４は、記憶部９に記憶されている各チャンネルの番組情報を取得する。一覧表生成部５４は、各チャンネルのチャンネル番号、番組名、番組開始時刻、番組終了時刻及びパレンタル年齢情報等を含む一覧表を生成して、表示部７に表示させる。
【００３０】
図４は、一覧表生成部５４が生成する一覧表の一例を示している。表示部７の第１表示領域Ｉに、一覧表ＩＩが表示されている。一覧表ＩＩには、２０チャンネル（ｃｈ）で１８時００分〜１９時００分に放送される番組名「○○」の番組情報と、２３ｃｈで１８時３０分〜２０時００分に放送される番組名「△△」の番組情報と、３０ｃｈで１８時３０分〜２０時００分に放送される番組名「××」の番組情報とが含まれている。
【００３１】
２０ｃｈ及び３０ｃｈの番組情報にはパレンタル年齢情報が含まれておらず、２３ｃｈの番組情報には１２歳を示すパレンタル年齢情報が含まれている。そのため、一覧表ＩＩには、２３ｃｈの番組のパレンタル年齢が１２歳であると表示されている。
【００３２】
なお、設定年齢が１２歳未満（例えば１１歳）である場合、一覧表生成部５４は、図５に示すように、パレンタル年齢が設定年齢を超えている２３ｃｈを除外した一覧表ＩＩａを生成するものとしても良い。
【００３３】
また、設定年齢が１２歳未満である場合、一覧表生成部５４は、パレンタル年齢が設定年齢を超えている２３ｃｈの番組を、他の番組と異なる表示様態に変更するものとしても良い。例えば、図６に示すように、一覧表生成部５４は、２３ｃｈの番組を他の番組と異なる太さで表した一覧表ＩＩｂを生成しても良い。又は、一覧表生成部５４は、２３ｃｈの番組を他の番組と異なる色又は輝度で表した一覧表を生成しても良い。又は、一覧表生成部５４は、２３ｃｈの番組を点滅させた一覧表を生成しても良い。
【００３４】
また、ステップＳＴ５にて、警告音生成部５５が警告音を出力させるか、又は一覧表生成部５４がメッセージを表示させるものとしたが、これらの両方を行うものとしても良い。
【００３５】
また、ステップＳＴ５で警告音生成部５５が警告音を出力させるか、又は一覧表生成部５４がメッセージを表示させた後に、ステップＳＴ６で一覧表生成部５４が一覧表を表示させるものとしたが、これらのステップの順番に限定されるものではない。警告音生成部５５が警告音を出力させるか、又は一覧表生成部５４がメッセージを表示させるのと同時に、一覧表生成部５４が一覧表を表示させるものとしても良い。
【００３６】
図７〜図１０は、一覧表生成部５４がメッセージと一覧表とを同時に表示させる場合の、表示部７の画面の一例を示している。図７に示すように、表示部７の第１表示領域Ｉにおいて、一覧表ＩＩｂに重畳して選局先チャンネルの番組は視聴できないことを示すメッセージを表示しても良い。又は、図８に示すように、表示部７の第２表示領域ＩＩＩにおいて、一覧表ＩＩｂから独立して選局先チャンネルの番組は視聴できないことを示すメッセージを表示しても良い。このとき、メッセージは所定時間の間点滅するものとしても良い。また、メッセージが第２表示領域ＩＩＩに収まらない場合、メッセージが画面左右方向にスクロールするものとしても良い。
【００３７】
また、一覧表生成部５４が生成するメッセージは、「この番組は視聴できない」ことを示すメッセージに限定されるものではない。図９又は図１０に示すように、例えば選局先チャンネルが２３ｃｈである場合、選局先チャンネルの番組の番組名、及び視聴が制限される理由等を含むメッセージを生成しても良い。また、一覧表生成部５４は、これらのメッセージに代えて又は加えて、静止画又は動画からなるアイコンを生成するものとしても良い。
【００３８】
以上のように、実施の形態１のデジタル放送受信装置１００は、ユーザの年齢を示す設定年齢情報を記憶する記憶部９と、第２受信部４ｂによりサーチされたチャンネルの受信信号から、当該チャンネルの番組のパレンタル年齢情報を含む番組情報を取得する番組情報取得部５２と、第１受信部４ａで選局しようとしている選局先チャンネルの番組情報に含まれるパレンタル年齢情報と、設定年齢情報とに基づいて、選局先チャンネルの番組がユーザの視聴制限番組であるか否かを判定する視聴制限判定部５３と、選局先チャンネルの番組が視聴制限番組であると判定され、チューナ制御部５６が選局先チャンネルへの切替えを停止した状態で、視聴が制限されていることを示す警告音を生成して音声出力部８に出力させる警告音生成部５５と、選局先チャンネルの番組が視聴制限番組であると判定され、チューナ制御部５６が選局先チャンネルへの切替えを停止した状態で、第２受信部４ｂによりサーチされたチャンネルの番組を登録した一覧表を生成して表示部７に表示させる一覧表生成部５４とを有している。これにより、選局先チャンネルの番組が視聴制限番組である場合に警告音を出力させるので、選局先チャンネルの番組の視聴が制限されていることをユーザに知らせることができる。さらに、受信可能な番組の一覧表を表示させることで、ユーザは、スムーズに選局操作を行うことができる。
【００３９】
また、一覧表生成部５４は、視聴制限番組を他の番組と異なる表示様態に変更するようになっている。視聴制限番組の色又は輝度等を変更して表示することで、ユーザは視聴制限番組を視覚的に区別することができる。この場合、一覧表にパレンタル年齢情報が表示されていなくても良い。パレンタル年齢情報が表示されなくても、ユーザは視聴制限番組を視覚的に認識することができる。
【００４０】
あるいは、一覧表生成部５４は、視聴制限番組を一覧表から除外するようになっている。視聴制限番組を一覧表に表示しないことで、ユーザの誤操作等による視聴制限番組への選局を防止することができる。この場合も、一覧表にパレンタル年齢情報が表示されていなくても良い。
【００４１】
また、一覧表生成部５４は、一覧表に加えて番組の視聴が制限されていることを示すメッセージを表示させるようになっている。一覧表に加えてメッセージを表示させることで、選局先チャンネルの番組の視聴が制限されていることをユーザにより確実に知らせることができる。
【００４２】
また、一覧表生成部５４は、一覧表の番組ごとにパレンタル年齢情報を表示させるようになっている。これにより、視聴可能な番組と視聴が制限される番組とをユーザに分かりやすく提示することができる。
【００４３】
なお、警告音生成部５５は、警告音に代えて、一覧表生成部５４が生成したメッセージを読み上げる音声を出力するものとしても良い。
【００４４】
また、操作入力部１０及び操作受付部１１は本発明に必須の構成部材ではなく、図１及び図２に示すデジタル放送受信装置１００から操作入力部１０及び操作受付部１１を除いた構成としても良い。この場合、例えば、記憶部９はデジタル放送受信装置１００の出荷時に所定の設定年齢情報を予め記憶しておくものとしても良い。チューナ制御部５６は、第１受信部４ａの放送波の受信状態等に応じて、第１受信部４ａを選局中チャンネルから選局先チャンネルに切替えようとするものとしても良い。視聴制限判定部５３は、ユーザ操作情報に代えて、チューナ制御部５６から、選局中チャンネルから選局先チャンネルに切替えようとしていることを示す情報を取得するものとしても良い。
【００４５】
また、番組情報取得部５２は、各チャンネルの番組情報を、デジタル放送受信装置１００の電源が入っている間、一定周期で取得するものとしても良い。また、番組情報取得部５２は、記憶部９に記憶されている番組情報のうち、古い番組情報を削除するものとしても良い。また、視聴制限判定部５３は、現在時刻が選局先チャンネルの番組情報に含まれる開始時刻と終了時刻との間である場合に、選局先チャンネルのパレンタル年齢が設定年齢を超えているか否かを判定するものとしても良い。
【００４６】
制御部５の動作は、図３に示すフローチャートに限定されるものではない。以下、図１１及び図１２を参照して、制御部５の動作の変形例について説明する。
図１１のフローチャートは、番組情報取得部５２が番組情報を取得する動作を示している。まず、ステップＳＴ２１にて、番組情報取得部５２は、チューナ制御部５６に信号を送り、第２受信部４ｂのチャンネルを、放送波を受信可能ないずれかのチャンネル（以下「チャンネルＸ」という）に切替える。
【００４７】
次いで、ステップＳＴ２２にて、番組情報取得部５２は、第２受信部４ｂで受信したチャンネルＸの放送波から番組情報を取得する。このとき、番組情報取得部５２は、チャンネルＸで現在放送されている番組の番組情報だけでなく、これから放送される予定の番組の番組情報も取得する。番組情報取得部５２は、取得した番組情報に含まれるチャンネル番号、番組名、番組開始時刻、番組終了時刻及びパレンタル年齢情報等を対応付けて、記憶部９に記憶する。
【００４８】
次いで、ステップＳＴ２３にて、番組情報取得部５２は、記憶部９に既に記憶されているチャンネルＸの番組情報のうち、番組終了時刻が現在時刻よりも古い番組の番組情報を削除する。
【００４９】
次いで、ステップＳＴ２４にて、番組情報取得部５２は、第２受信部４ｂで放送波を受信可能な全てのチャンネルから番組情報を取得したか否かを判定する。受信可能な全てのチャンネルから番組情報を取得していない場合（ステップＳＴ２４“ＮＯ”）、番組情報取得部５２はステップＳＴ２１の処理に戻る。一方、受信可能な全てのチャンネルから番組情報を取得している場合（ステップＳＴ２４“ＹＥＳ”）、番組情報取得部５２は処理を終了する。
【００５０】
番組情報取得部５２は、デジタル放送受信装置１００の電源が入っている間、ステップＳＴ２１〜ステップＳＴ２４の処理を一定周期で繰り返す。これにより、記憶部９は、常に最新の番組情報を記憶しておくことができる。
【００５１】
図１２のフローチャートは、制御部５が番組の視聴制限を行う動作を示している。図１２において、図３に示すフローチャートと同様のステップには同一符号を付して説明を省略する。
ステップＳＴ２に次いで、ステップＳＴ１１にて、視聴制限判定部５３は選局先チャンネルの番組情報が記憶部９に記憶されているか否かを判定する。
【００５２】
選局先チャンネルの番組情報が記憶部９に記憶されている場合（ステップＳＴ１１“ＹＥＳ”）、次いで、ステップＳＴ１２にて、視聴制限判定部５３は記憶部９に記憶されている選局先チャンネルの番組情報を取得する。また、視聴制限判定部５３は、現在時刻が選局先チャンネルの番組情報に含まれる番組開始時刻と番組終了時刻との間であるか否かを判定する。現在時刻が番組開始時刻と番組終了時刻との間である場合（ステップＳＴ１２“ＹＥＳ”）、制御部５はステップＳＴ３〜ステップＳＴ６の処理を実行する。
【００５３】
なお、記憶部９に選局先チャンネルの番組情報が記憶されていない場合（ステップＳＴ１１“ＮＯ”）、又は現在時刻が選局先チャンネルの番組情報に含まれる番組開始時刻と番組終了時刻との間でない場合（ステップＳＴ１２“ＮＯ”）、制御部５はステップＳＴ４の処理に進むことで、例外的にパレンタル年齢情報に基づく視聴制限よりも第１受信部４ａのスムーズなチャンネル切替えを優先するものとしても良い。
【００５４】
また、記憶部９は、記憶した番組情報を、デジタル放送受信装置１００の電源を切った後も保持するものとしても良い。制御部５は、デジタル放送受信装置１００の電源を入れたときに、現在時刻と記憶部９に記憶された各番組情報の終了時刻とを比較して、終了時刻が現在時刻より古い番組情報を削除するものとしても良い。
【００５５】
また、チューナ制御部５６は、視聴制限判定部５３で選局先チャンネルの番組がユーザの視聴制限番組でないと判定された場合に、第２チューナ部２ｂが放送波を変換するチャンネルを選局先チャンネルに切替えるとともに、視聴制限判定部５３で選局先チャンネルの番組がユーザの視聴制限番組であると判定された場合に、第２チューナ部２ｂが放送波を変換するチャンネルを選局先チャンネルに切替えるのを停止するものとしても良い。また、チューナ制御部５６は、番組情報取得部５２が出力した信号に応じて、第１チューナ部２ａが放送波を変換するチャンネルを順次切替えるものとしても良い。これにより、第２受信部４ｂで選局中チャンネルの放送波を受信している場合に、第１受信部４ａでチャンネルＸをサーチすることができる。
【００５６】
実施の形態２．
図１３は、実施の形態２のデジタル放送受信装置１００の要部（制御部５ａ）の構成を示すブロック図である。図１３を参照して、一覧表から番組を選択できるようにしたデジタル放送受信装置１００について説明する。実施の形態２のデジタル放送受信装置１００は、制御部５ａ以外は図１に示したデジタル放送受信装置１００と同様の構成を有しているため、図１を援用して説明する。図１３において、図２に示す実施の形態１のデジタル放送受信装置１００と同様の構成部材には同一符号を付して説明を省略する。
【００５７】
制御部５ａの一覧表生成部５４は、操作入力部１０に入力されたユーザ操作情報のうち、表示部７に表示されている一覧表からいずれかの番組を選択するユーザ操作情報を、操作受付部１１を介して受け付けるようになっている。一覧表生成部５４は、受け付けたユーザ操作情報に応じて移動するカーソルを一覧表に重畳して表示させるようになっている。
【００５８】
制御部５ａの視聴制限判定部５３は、ユーザ操作情報により一覧表から選択された番組のパレンタル年齢が、記憶部９に予め記憶された設定年齢を超えているか否かを判定するようになっている。
【００５９】
制御部５ａの警告音生成部５５は、ユーザ操作情報により一覧表からパレンタル年齢が設定年齢を超えている番組が選択されたことを、視聴制限判定部５３から通知された場合に、警告音を生成して音声出力部８に出力させるようになっている。
【００６０】
制御部５ａのチューナ制御部５６は、ユーザ操作情報により一覧表からパレンタル年齢が設定年齢以下の番組、又は番組情報にパレンタル年齢情報が含まれていない番組が選択された場合に、第１受信部４ａのチャンネルを選択された番組のチャンネルに切替えるようになっている。
【００６１】
次に、図１４及び図１５を参照して、このように構成されたデジタル放送受信装置１００の動作について、制御部５ａの動作を中心に説明する。
図１４は、一覧表生成部５４が生成する一覧表の一例を示している。表示部７の第１表示領域Ｉに、一覧表ＩＩｂが表示されている。一覧表ＩＩｂに重畳して、矩形状のカーソルＩＶが表示されている。カーソルＩＶは、操作入力部１０に入力されたユーザ操作情報に応じて一覧表ＩＩｂ上を移動し、いずれかの番組が選択されていることを示している。
【００６２】
このとき、一覧表ＩＩｂに表示された番組のうち、パレンタル年齢が設定年齢を超えている２３ｃｈの番組が選択された場合、警告音生成部５５は警告音を生成して音声出力部８に出力させる。チューナ制御部５６は、第１受信部４ａのチャンネルを選択されたチャンネルに切替えない。
【００６３】
一方、一覧表ＩＩｂに表示された番組のうち、番組情報にパレンタル年齢情報が含まれていない２０ｃｈ又は３０ｃｈの番組が選択された場合、チューナ制御部５６は第１受信部４ａのチャンネルを選択された番組のチャンネルに切替える。
【００６４】
あるいは、一覧表生成部５４は、図１５に示すように、パレンタル年齢が設定年齢を超えている２３ｃｈの番組を、カーソルＩＶにより選択できないようにした一覧表ＩＩｃを生成するものとしても良い。例えば、２３ｃｈの番組情報は白抜きで表示されており、ユーザがカーソルＩＶを移動させて２３ｃｈの番組を選択しようとしても、一覧表生成部５４が２３ｃｈの番組を飛ばしてカーソルＩＶを移動表示させるので、選択できないようになっている。又は、２３ｃｈの番組にカーソルＩＶが移動した状態では、操作受付部１１が第１受信部４ａのチャンネルを選択するユーザ操作情報を受け付けないことで、２３ｃｈの番組を選択できないようになっている。
【００６５】
以上のように、実施の形態２のデジタル放送受信装置１００は、一覧表生成部５４が、一覧表のいずれかの番組が選択されていることを示すカーソルＩＶを表示させるとともに、視聴制限番組をカーソルＩＶにより選択できないようにした一覧表を表示させる。チューナ制御部５６が、第１受信部４ａのチャンネルをカーソルＩＶにより選択された番組のチャンネルに切替える。視聴できない番組を選択できなくすることで、ユーザの誤操作等による視聴制限番組への選局を防止することができる。
【００６６】
あるいは、一覧表生成部５４は、一覧表においていずれかの番組が選択されていることを示すカーソルＩＶを表示させる。視聴制限判定部５３は、カーソルＩＶにより選択された番組が視聴制限番組であるか否かを判定する。チューナ制御部５６は、カーソルＩＶにより選択された番組が視聴制限番組でないと判定された場合、第１受信部４ａのチャンネルをカーソルＩＶにより選択された番組のチャンネルに切替え、カーソルＩＶにより選択された番組が視聴制限番組であると判定された場合、第１受信部４ａのチャンネルをカーソルＩＶにより選択された番組のチャンネルに切替えない。警告音生成部５５は、カーソルＩＶにより選択された番組が視聴制限番組である場合に警告音を出力させる。ユーザが視聴制限番組を選択した際に警告音を鳴らすことで、この番組の視聴が制限されていることをユーザに知らせることができる。
【００６７】
なお、カーソルの形状は図１４及び図１５に示す矩形状に限定されるものではない。一覧表生成部５４は、円形状、矢印状、又は指状のカーソルを表示させるものとしても良い。
【００６８】
実施の形態３．
図１６は、実施の形態３のデジタル放送受信装置１００の要部（制御部５ｂ）の構成を示すブロック図である。図１６を参照して、選局中チャンネルの番組が先行番組から後続番組に切替わるときに番組の視聴制限を判定するデジタル放送受信装置１００について説明する。実施の形態３のデジタル放送受信装置１００は、制御部５ｂ以外は図１に示したデジタル放送受信装置１００と同様の構成を有しているため、図１を援用して説明する。図１６において、図２に示す実施の形態１のデジタル放送受信装置１００と同様の構成部材には同一符号を付して説明を省略する。
【００６９】
制御部５ｂの視聴制限判定部５３は、記憶部９に記憶されている番組情報を参照して、第１受信部４ａの選局中チャンネルの先行番組から後続番組への切替わりを検出するようになっている。また、視聴制限判定部５３は、後続番組のパレンタル年齢が、記憶部９に予め記憶された設定年齢を超えているか否かを判定するようになっている。
【００７０】
制御部５ｂの映像音声ミュート部５７は、視聴制限判定部５３の判定結果に応じて、表示部７による後続番組の映像表示を停止させるものである。また、映像音声ミュート部５７は、視聴制限判定部５３の判定結果に応じて、音声出力部８による後続番組の音声出力を停止させるものである。
【００７１】
次に、図１７を参照して、このように構成されたデジタル放送受信装置１００の動作について、制御部５ｂの動作を中心に説明する。なお、図１７において、図３に示すフローチャートと同様のステップには同一符号を付して説明を省略する。
ここで、デジタル放送受信装置１００は車両に搭載されており、この車両は走行中である。第１受信部４ａは任意の選局中チャンネルの放送波を受信しており、表示部７及び音声出力部８は選局中チャンネルの先行番組の映像及び音声を出力している。記憶部９は、設定年齢情報を予め記憶している。
【００７２】
ステップＳＴ１に次いで、ステップＳＴ２ａにて、視聴制限判定部５３は、第１受信部４ａの選局中チャンネルの先行番組から後続番組への切替わりを検出する。
【００７３】
次いで、ステップＳＴ３ａにて、視聴制限判定部５３は、記憶部９に記憶されている番組情報から、選局中チャンネルの後続番組のパレンタル年齢情報を取得する。また、視聴制限判定部５３は、選局中チャンネルの後続番組のパレンタル年齢が、記憶部９から取得した設定年齢を超えているか否かを判定する。後続番組のパレンタル年齢が設定年齢以下であるか、又は後続番組の番組情報にパレンタル年齢情報が含まれていない場合（ステップＳＴ３ａ“ＮＯ”）、制御部５ｂは処理を終了する。このとき、表示部７は後続番組の映像表示を継続し、音声出力部８は後続番組の音声出力を継続する。
【００７４】
一方、後続番組のパレンタル年齢が設定年齢を超えている場合（ステップＳＴ３ａ“ＹＥＳ”）、次いで、ステップＳＴ７にて、映像音声ミュート部５７は、表示部７による後続番組の映像表示を停止させるとともに、音声出力部８による後続番組の音声出力を停止させる。以下、制御部５ｂは、実施の形態１と同様にステップＳＴ５〜ステップＳＴ６の処理を実行する。
【００７５】
以上のように、実施の形態３のデジタル放送受信装置１００は、表示部７による番組の映像表示と、音声出力部８による番組の音声出力とを停止させる映像音声ミュート部５７を有している。視聴制限判定部５３は、番組情報取得部５２が取得した番組情報に基づいて、第１受信部４ａで選局している選局中チャンネルの先行番組から後続番組への切替わりを検出し、後続番組の視聴制限年齢情報と、設定年齢情報とに基づいて、後続番組が視聴制限番組であるか否かを判定する。映像音声ミュート部５７は、後続番組が視聴制限番組であると判定された場合に後続番組の映像表示及び音声出力を停止させる。警告音生成部５５は、後続番組が視聴制限番組であると判定された場合に警告音を出力させ、一覧表生成部５４は、後続番組が視聴制限番組であると判定された場合に一覧表を表示させる。これにより、受信中のチャンネルで視聴が制限される後続番組の放送が始まった場合に、後続番組の映像及び音声の出力を停止して一覧表を表示するので、選局可能な番組をユーザにわかりやすく提示して選局を促すことができる。
【００７６】
なお、視聴制限判定部５３は、選局中チャンネルの後続番組のパレンタル年齢が設定年齢を超えているか否かと、選局先チャンネルの番組のパレンタル年齢が設定年齢を超えているか否かとの両方を判定するものとしても良い。警告音生成部５５は、選局中チャンネルの後続番組のパレンタル年齢が設定年齢を超えている場合、及び選局先チャンネルの番組のパレンタル年齢が設定年齢を超えている場合に警告音を出力させるものとしても良い。一覧表生成部５４は、選局中チャンネルの後続番組のパレンタル年齢が設定年齢を超えている場合、及び選局先チャンネルの番組のパレンタル年齢が設定年齢を超えている場合に一覧表を表示させるものとしても良い。
【００７７】
なお、本願発明はその発明の範囲内において、各実施の形態の自由な組み合わせ、あるいは各実施の形態の任意の構成要素の変形、もしくは各実施の形態において任意の構成要素の省略が可能である。
【産業上の利用可能性】
【００７８】
本発明のデジタル放送受信装置は、選局先チャンネルの番組が視聴制限番組である場合、警告音を音声出力部に出力させるとともに、放送波を受信したチャンネルの番組の一覧表を表示部に表示させるようにしている。これにより、選局可能な番組をユーザにわかりやすく提示して選局を促すことができるので、特に車載用のデジタル放送受信装置に適している。
【符号の説明】
【００７９】
１ａ  第１アンテナ、１ｂ  第２アンテナ、２ａ  第１チューナ部、２ｂ  第２チューナ部、３ａ  第１ＯＦＤＭ復調部、３ｂ  第２ＯＦＤＭ復調部、４ａ  第１受信部、４ｂ  第２受信部、５，５ａ，５ｂ  制御部、５１  映像音声取得部、５２  番組情報取得部、５３  視聴制限判定部、５４  一覧表生成部、５５  警告音生成部、５６  チューナ制御部、５７  映像音声ミュート部、６  デコード部、７  表示部、８  音声出力部、９  記憶部、１０  操作入力部、１１  操作受付部、１００  デジタル放送受信装置。
【図１】
2016009563.tif 000003
【図２】
2016009563.tif 000004
【図３】
2016009563.tif 000005
【図４】
2016009563.tif 000006
【図５】
2016009563.tif 000007
【図６】
2016009563.tif 000008
【図７】
2016009563.tif 000009
【図８】
2016009563.tif 000010
【図９】
2016009563.tif 000011
【図１０】
2016009563.tif 000012
【図１１】
2016009563.tif 000013
【図１２】
2016009563.tif 000014
【図１３】
2016009563.tif 000015
【図１４】
2016009563.tif 000016
【図１５】
2016009563.tif 000017
【図１６】
2016009563.tif 000018
【図１７】
2016009563.tif 000019
【国際調査報告】
2016009563.tif 000020
2016009563.tif 000021
2016009563.tif 000022
2016009563.tif 000023